(57)【要約】【課題】原稿の置忘れをより適切に検知すると共に他のユーザが誤って原稿を読み取ることをより適切に防止する。【解決手段】読取制御処理の実行要求を受け付けると、読取指示を行なうユーザＩＤを取得・記憶すると共に読取指示を受け付け、前回の読取時から現時点までに圧板の開放が行われ且つ前回読取指示を受け付けた際に取得したユーザＩＤと今回取得したユーザＩＤとが一致すると判断した場合は、警告用情報を出力する。こうすることにより、読取部３１にセットされている原稿が変更されておらず且つ読取指示に係るユーザが変更された場合に、警告用情報をクライアント端末２０へ表示させてユーザに報知することができる。この結果、原稿とユーザの変更に応じて原稿の置忘れをより適切に検知することができると共に他のユーザが誤って原稿を読み取ることをより適切に防止することができる。【選択図】図１
2007288585.tif 000002
【特許請求の範囲】
【請求項１】
ユーザからの読取指示に基づいて読取部にセットされた原稿を画像データとして読み取る読取手段を有する画像読取装置であって、
ユーザからの読取指示がなされた際に前記読取部にセットされている原稿および該読取指示に係るユーザが前回の読取時から変更されているか否かを判断する判断手段と、
該判断手段により前記読取部にセットされている原稿が変更されておらず前記読取指示に係るユーザが変更されていると判断されたときに所定の警告用動作を実行する制御手段と、
を備える画像読取装置。
【請求項２】
請求項１記載の画像読取装置であって、
データを記憶する記憶手段と、
前記読取指示に係るユーザを識別可能なユーザ識別情報を取得し前記記憶手段に記憶させるユーザ識別情報取得手段と、を備え、
前記判断手段は、前記記憶手段に記憶されている前回の読取時のユーザ識別情報と前記ユーザ識別情報取得手段により取得した今回のユーザ識別情報とに基づいて前記読取指示に係るユーザが前回の読取時から変更されているか否かを判断する手段である、
画像読取装置。
【請求項３】
請求項１記載の画像読取装置であって、
前記読取指示は、読取に関するアプリケーションの指定を伴ってなされ、
データを記憶する記憶手段と、
前記読取指示に伴って指定されたアプリケーションを識別可能なアプリケーション識別情報を取得し前記記憶手段に記憶させるアプリケーション識別情報取得手段と、を備え、
前記判断手段は、前記記憶手段に記憶されている前回の読取時のアプリケーション識別情報と前記アプリケーション識別情報取得手段により取得した今回のアプリケーション識別情報とに基づいて前記読取指示に係るユーザが前回の読取時から変更されているか否かを判断する手段である、
画像読取装置。
【請求項４】
前記判断手段は、前回の読取時からの経過期間が所定値以上であるときに前記読取指示に係るユーザが前回の読取時から変更されていると判断する手段である請求項１記載の画像読取装置。
【請求項５】
請求項１乃至４のいずれか記載の画像読取装置であって、
前記読取部にセットされた原稿を変更可能な変更可能状態と前記読取部にセットされた原稿を変更不可能な変更不可能状態とを切り替え可能な原稿変更状態切替手段を備え、
前記判断手段は、前回の読取時以降に前記原稿変更状態切替手段により前記変更不可能状態から前記変更可能状態への切り替えが行われたときに前記読取部にセットされている原稿が前回の読取時から変更されていると判断する手段である画像読取装置。
【請求項６】
請求項１乃至５のいずれか記載の画像読取装置であって、
データを記憶する記憶手段を備え、
前記読取手段は、前記読み取った画像データを前記記憶手段に記憶させる手段であり、
前記制御手段は、前記判断手段により前記読取部にセットされている原稿および前記読取指示に係るユーザが共に前回の読取時から変更されていないと判断されたときに前記読取指示に拘らず前記記憶手段から前回の読取時の画像データを取得する動作を実行する手段である、
画像読取装置。
【請求項７】
前記制御手段は、前記所定の警告用動作の少なくとも一部として、所定の警告用情報を出力する手段である請求項１乃至６のいずれか記載の画像読取装置。
【請求項８】
前記制御手段は、前記所定の警告用動作の少なくとも一部として、前記読取手段による原稿の読取を中止する手段である請求項１乃至７のいずれか記載の画像読取装置。
【請求項９】
請求項１乃至８のいずれか記載の画像読取装置と、画像データを印刷する印刷部と、
を備えることを特徴とする複写機。
【請求項１０】
ユーザからの読取指示に基づいて読取部にセットされた原稿を画像データとして読み取る読取手段を有する画像読取装置の制御方法であって、
（ａ）ユーザからの読取指示がなされた際に前記読取部にセットされている原稿および該読取指示に係るユーザが前回の読取時から変更されているか否かを判断し、
（ｂ）該判断により前記読取部にセットされている原稿が変更されておらず前記読取指示に係るユーザが変更されていると判断されたときに所定の警告用動作を実行する、
画像読取装置の制御方法。
【発明の詳細な説明】
【技術分野】
【０００１】
この発明は、画像読取装置、複写機及び画像読取装置の制御方法に関し、特にユーザからの読取指示に基づいて読取部にセットされた原稿を画像データとして読み取る画像読取装置およびこの制御方法、こうした画像読取装置を備える複写機に関する。
【背景技術】
【０００２】
従来、この種の画像読取装置としては、読取部にセットされた原稿を置き忘れていればユーザのクライアント端末へ原稿の置き忘れを報知するものが提案されている（例えば、特許文献１参照）。この画像読取装置では、前回読み取った原稿の画像データと所定時間経過後に再度読み取った原稿の画像データとの同一性に基づいて、原稿を置き忘れたか否かを判断している。
【特許文献１】特開２００５−５１４０２号公報
【発明の開示】
【発明が解決しようとする課題】
【０００３】
しかしながら、上述の画像読取装置では原稿を読み取ってから所定時間経過後に原稿の置き忘れを判断しているが、所定時間経過する前であっても原稿の置き忘れが発生してしまうことがある。この場合、所定時間経過するまでユーザに報知されないから、置き忘れられた原稿を他のユーザが誤って再度読み取ってしまう場合が生じる。
【０００４】
そこで、本発明は、原稿の置き忘れをより適切に検知する画像読取装置、複写機及び画像読取装置の制御方法を提供することを目的の一つとする。また、他のユーザが誤って原稿を読み取ることを、より適切に防止する画像読取装置、複写機及び画像読取装置の制御方法を提供することを目的の一つとする。
【課題を解決するための手段】
【０００５】
本発明の画像読取装置、複写機及び画像読取装置の制御方法は、上述の目的の少なくとも一部を達成するために以下の手段を採った。
【０００６】
本発明の画像読取装置は、ユーザからの読取指示に基づいて読取部にセットされた原稿を画像データとして読み取る読取手段を有する画像読取装置であって、ユーザからの読取指示がなされた際に前記読取部にセットされている原稿および該読取指示に係るユーザが前回の読取時から変更されているか否かを判断する判断手段と、該判断手段により前記読取部にセットされている原稿が変更されておらず前記読取指示に係るユーザが変更されていると判断されたときに所定の警告用動作を実行する制御手段と、を備える、ことを要旨とする。
【０００７】
この本発明の画像読取装置では、読取指示がなされた際に、読取部にセットされている原稿が変更されておらず且つ読取指示に係るユーザが変更された場合には、所定の警告用動作をすることができる。この結果、原稿とユーザの変更に応じて原稿の置き忘れを、より適切に検知できる。また、読取指示の際に所定の警告用動作をするので、他のユーザが誤って原稿を読み取ることをより適切に防止できる。
【０００８】
こうした本発明の画像読取装置において、データを記憶する記憶手段と、前記読取指示に係るユーザを識別可能なユーザ識別情報を取得し前記記憶手段に記憶させるユーザ識別情報取得手段と、を備え、前記判断手段は、前記記憶手段に記憶されている前回の読取時のユーザ識別情報と前記ユーザ識別情報取得手段により取得した今回のユーザ識別情報とに基づいて前記読取指示に係るユーザが前回の読取時から変更されているか否かを判断する手段であるものとすることもできる。
こうすれば、読取指示に係るユーザが前回のユーザから変更されているか否かの判断をユーザ識別情報に基づいて判断することができる。この結果、読取指示に係るユーザが前回のユーザから変更されているか否かの判断をより確実にすることができる。
ここで、「ユーザ識別情報」としてはユーザＩＤやユーザ名などを挙げることができる。
【０００９】
また、本発明の画像読取装置において、前記読取指示は、読取に関するアプリケーションの指定を伴ってなされ、データを記憶する記憶手段と、前記読取指示に伴って指定されたアプリケーションを識別可能なアプリケーション識別情報を取得し前記記憶手段に記憶させるアプリケーション識別情報取得手段と、を備え、前記判断手段は、前記記憶手段に記憶されている前回の読取時のアプリケーション識別情報と前記アプリケーション識別情報取得手段により取得した今回のアプリケーション識別情報とに基づいて前記読取指示に係るユーザが前回の読取時から変更されているか否かを判断する手段であるものとすることもできる。
こうすれば、ユーザ識別情報を取得しなくても、読取指示に係るユーザが前回のユーザから変更されているか否かの判断をアプリケーション識別情報に基づいて判断することができる。
ここで、「アプリケーション識別情報」とは、ＷｅｂＳｃａｎやコピーやＦＡＸなどのアプリケーションを識別する情報であり、アプリケーションＩＤなどが挙げられる。また、「ＷｅｂＳｃａｎ」とは、ネットワークを介して接続されたクライアント端末のＷＥＢブラウザを利用してなされた読取指示に応じて画像読取装置の読取部にセットされた原稿を読み取るアプリケーションをいう。
【００１０】
また、本発明の画像読取装置において、前記判断手段は、前回の読取時からの経過期間が所定値以上であるときに前記読取指示に係るユーザが前回の読取時から変更されていると判断する手段であるものとすることもできる。
こうすれば、読取指示に係るユーザが前回のユーザから変更されているか否かの判断を前回の読取時からの経過時間に基づいて判断することができる。
【００１１】
また、本発明の画像読取装置において、前記読取部にセットされた原稿を変更可能な変更可能状態と前記読取部にセットされた原稿を変更不可能な変更不可能状態とを切り替え可能な原稿変更状態切替手段を備え、前記判断手段は、前回の読取時以降に前記原稿変更状態切替手段により前記変更不可能状態から前記変更可能状態への切り替えが行われたときに前記読取部にセットされている原稿が前回の読取時から変更されていると判断する手段であるものとすることもできる。
こうすれば、読取部にセットされた原稿が交換されたか否かの判断を、圧板の開閉などの状態に基づいて判断することができる。
ここで、原稿変更状態切替手段としては例えば圧板を挙げられ、この場合変更可能状態としては圧板が開いた状態などが挙げられ、変更不可能状態としては圧板が閉じた状態などが挙げられる。
【００１２】
また、本発明の画像読取装置において、データを記憶する記憶手段を備え、前記読取手段は、前記読み取った画像データを前記記憶手段に記憶させる手段であり、前記制御手段は、前記判断手段により前記読取部にセットされている原稿および前記読取指示に係るユーザが共に前回の読取時から変更されていないと判断されたときに前記読取指示に拘らず前記記憶手段から前回の読取時の画像データを取得する動作を実行する手段であるものとすることもできる。
こうすれば、同一のユーザが同一の原稿を読み取る場合に前回の画像データを取得することができる。この結果、読み取り動作を省略することができるから、処理時間を短くしたり、読取部の寿命を延ばすことができる。
【００１３】
また、本発明の画像読取装置において、前記制御手段は、前記所定の警告用動作の少なくとも一部として、所定の警告用情報を出力する手段であるものとしたり、前記読取手段による原稿の読取を中止する手段であるものとしたりすることもできる。
ここで、「出力」とは画面などへ表示出力させるための出力やスピーカなどへ音声出力させるための出力などが含まれる。
【００１４】
本発明の複写機では、上記各態様の本発明の画像読取装置を備えた複写機であって、画像データを印刷する印刷部を備える、ことを要旨とする。
この本発明の複写機では、上記各態様の本発明の画像読取装置を備えるから、上記の画像読取装置が奏する効果、例えば、原稿とユーザの変更に応じて原稿の置き忘れをより適切に検知できるという効果や他のユーザが誤って原稿を読み取ることをより適切に防止できるという効果などを奏することができる。
【００１５】
本発明の画像読取装置の制御方法では、ユーザからの読取指示に基づいて読取部にセットされた原稿を画像データとして読み取る読取手段を有する画像読取装置の制御方法であって、（ａ）ユーザからの読取指示がなされた際に前記読取部にセットされている原稿および該読取指示に係るユーザが前回の読取時から変更されているか否かを判断し、（ｂ）該判断により前記読取部にセットされている原稿が変更されておらず前記読取指示に係るユーザが変更されていると判断されたときに所定の警告用動作を実行する、ことを要旨とする。
こうすれば、読取指示がなされた際に、読取部にセットされている原稿が変更されておらず且つ読取指示に係るユーザが変更された場合には、所定の警告用動作をすることができる。この結果、原稿とユーザの変更に応じて原稿の置き忘れをより適切に検知できる。また、読取指示の際に所定の警告用動作をするので、他のユーザが誤って原稿を読み取ることを、より適切に防止できる。
【発明の効果】
【００１６】
このように、本発明の画像読取装置、複写機及び画像読取装置の制御方法によれば、原稿の置き忘れをより適切に検知し、また、他のユーザが誤って原稿を読み取ることをより適切に防止することが可能となる。
【発明を実施するための最良の形態】
【００１７】
次に本発明を実施するための最良の形態を実施例を用いて説明する。
【実施例】
【００１８】
図１は本発明の画像読取装置として機能する複写機３０を含むネットワークシステム１０の構成を示す構成図である。実施例の複写機３０は、図示するように、ネットワークを介してクライアント端末２０に接続されており、クライアント端末２０からの読取指示に応じて読取部３１にセットされた原稿の読取動作を行って、読取結果をＪＰＥＧなどの形式のファイルとしてクライアント端末２０へ送信できるようになっている。
【００１９】
図２は実施例の複写機３０のハードウェア構成図である。図示するように、中央演算処理装置としてのＣＰＵ４０ａ、処理プログラムなどを記憶するＲＯＭ４０ｂ、一時的にデータを記憶するＲＡＭ４０ｃ、原稿を読取部３１に固定するための圧板４０ｄ、読取部３１にセットされた原稿を読み取る読取手段としてのスキャナ４０ｅ、紙などに画像データを印刷するプロッタ４０ｆ、ユーザからの各種操作を受け付ける操作表示部４０ｇ、モデム４８や網制御部４９を介して公衆回線との通信を制御する通信制御部４０ｈ、ＬＡＮとの通信を制御するＬＡＮ制御部４０ｉなどを中心として構成されており、スキャナ４０ｅにより読み取った原稿の画像データや通信制御部４０ｈを介して受信したＦＡＸ文書の画像データやＬＡＮ制御部４０ｉを介して受信した画像データに基づいてプロッタ４０ｆにより印刷を行う。
【００２０】
ＣＰＵ４０ａは、圧板４０ｄに取り付けられた圧板開閉センサ４１からの検出信号やスキャナ４０ｅに取り付けられた原稿センサ４２からの検出信号、プロッタ４０ｆに接続された用紙センサ４３からの検出信号などを受信し、圧板の開閉や読取部３１にセットされた原稿の有無、用紙が装置のどの位置にあるかなどを判断する。
【００２１】
さらに、複写機３０は、画像データを記憶するのに使用する画像メモリ４４、バッテリ４５によりバックアップされ電話番号などのパラメータを記憶するパラメータメモリ４６、カウンターとしての時計回路４７、送信する画情報の符号化や受信した文書の復号化を行う複合化符号部５０、英・数・カナ・記号および漢字などの各文字フォントデータを生成するキャラクタジェネレータ５１などを備える。
【００２２】
次に、こうして構成された複写機３０の動作について説明する。図３は、読取制御処理の実行要求を受け付けたときに実行される読取制御処理を示すフローチャートである。読取制御処理の実行要求は、クライアント端末２０のＷｅｂブラウザを介してユーザによりＷｅｂＳｃａｎのアプリケーションが起動されたときや、読取部３１に原稿がセットされたことを原稿センサ４２が検出したときになされる。
【００２３】
まず、図示するように、読取指示を行うユーザＩＤを取得してＲＡＭ４０ｃに記憶する（ステップＳ１００）。実施例では、クライアント端末２０のＷｅｂブラウザや複写機３０の操作表示部４０ｇを介してユーザにより入力されたユーザＩＤを取得する。
【００２４】
次に、読取部３１にセットされた原稿の読取指示を受け付ける（ステップＳ１１０）。読取指示は、ステップＳ１００のユーザＩＤと同様に、クライアント端末２０のＷｅｂブラウザや複写機３０の操作表示部４０ｇを介してユーザにより行なわれ、読取指示の他、読取動作に関するアプリケーションＩＤの指定も行われる。ここで、アプリケーションＩＤとはアプリケーションを識別する情報であり、アプリケーションとしては、ＷｅｂＳｃａｎやコピーやＦＡＸなどを挙げることができる。
【００２５】
そして、前回の読取時から現時点までに圧板の開放が行われたか否かを判断する（ステップＳ１２０）。この判断は、実施例では、圧板開閉センサが「開」となったときに値１となる圧板開状態フラグを用いて行うものとした。このフラグは、圧板開閉センサが開となったときに値１となり、新たに読取動作を実行するたびに値０にクリアされ、パラメータメモリ５０に記憶されている。
【００２６】
ステップＳ１２０の判断により、前回の読取時から現時点までに圧板の開放が行われたと判断した場合は（ステップＳ１２０のＹｅｓ）、読取部３１にセットされた原稿を読み取って画像メモリ４４に記憶し（ステップＳ１６０）、ステップＳ１１０の読取指示に伴って指定されているアプリケーションＩＤに基づく処理を行って（ステップＳ１７０）、読取制御処理を終了する。ここで、アプリケーションＩＤに基づく処理は、ＷｅｂＳｃａｎやコピーやＦＡＸなどの各アプリケーションに対応する処理（例えば、ＷｅｂＳｃａｎの場合には、読み取った画像データをＪＰＥＧ形式に変換してクライアント端末２０へ送信する、など）のことである。こうした処理は、一般的な複写機における処理と同様であり、本発明の中核をなさないから、これ以上の詳細な説明は省略する。
【００２７】
一方、ステップＳ１２０の判断により、前回の読取時から現時点までに圧板の開放が行われていないと判断した場合は（ステップＳ１２０のＮｏ）、前回読取指示を受け付けた際に実行した読取制御処理のステップＳ１００で取得したＲＡＭ４０ｃに記憶してあるユーザＩＤと、今回のステップＳ１００で取得したユーザＩＤとが一致するか否かを判断する（ステップＳ１３０）。
【００２８】
そして、前回読取指示を受け付けた際に取得したユーザＩＤと今回読取指示を受け付けた際に取得したユーザＩＤとが一致しないと判断した場合は（ステップＳ１３０のＮｏ）、警告用情報をクライアント端末２０へ出力し（ステップＳ１４０）、この読取制御処理を終了する。実施例では、図４に示すように、『原稿が残っています。』という情報をクライアント端末２０へ出力するものとした。なお、図５に示すように、『原稿が残っています。』という情報を操作表示部４０ｇへ出力してもよい。このように、前回の読取時から現時点までに圧板の開放が行われておらず前回取得したユーザＩＤと今回取得したユーザＩＤとが一致しないときには、原稿が変更されずにユーザが変更されたと考えられるから、警告用情報を出力するのである。
【００２９】
一方、ステップＳ１３０の判断により、前回読取指示を受け付けた際に取得したユーザＩＤと今回読取指示を受け付けた際に取得したユーザＩＤとが一致すると判断した場合は（ステップＳ１３０のＹｅｓ）、読取部３１にセットされた原稿を読み取らずに、前回の読取制御処理のステップＳ１６０で読み取って画像メモリ４４に記憶した画像データを取得する（ステップＳ１５０）。そして、その取得した画像データを用いて、アプリケーションＩＤに基づく処理を行って（ステップＳ１７０）、この読取制御処理を終了する。このように、前回の読取時から現時点までに圧板の開放が行われておらず前回取得したユーザＩＤと今回取得したユーザＩＤとが一致するときには、原稿が変更されずに同一のユーザが読取指示を行ったと考えられるから、前回の読取時に取得した画像データを取得するのである。
【００３０】
以上説明した実施例の複写機３０によれば、読取指示がなされた際に、前回の読取時から現時点までに圧板の開放が行われておらず前回取得したユーザＩＤと今回取得したユーザＩＤとが一致しないときには、警告用情報をクライアント端末２０へ表示させることができる。即ち、読取部にセットされている原稿が変更されておらず読取指示に係るユーザが変更されていると判断されたときに、前記読取指示に拘らず所定の警告用動作を実行することができる。この結果、原稿とユーザの変更に応じて原稿の置き忘れをより適切に検知できる。
また、読取指示の際に警告用情報を出力するので、他のユーザが誤って原稿を読み取ることをより適切に防止できる。
さらに、読取指示がなされた際に、前回の読取時から現時点までに圧板の開放が行われておらず前回取得したユーザＩＤと今回取得したユーザＩＤとが一致するときに前回の読取時に取得した画像データを取得できる。即ち、読取部にセットされている原稿および読取指示に係るユーザが共に前回の読取時から変更されていないと判断されたときに読取指示に拘らず記憶手段から前回の読取時の画像データを取得する動作を実行することができる。この結果、同一のユーザが同一の原稿を読み取る場合に前回の画像データを取得して読み取り動作を省略することができるので、処理時間を短くしたり、読取部の寿命を延ばすことができる。
【００３１】
実施例の複写機３０では、読取指示に係るユーザが前回の読取時の読取指示に係るユーザから変更されているか否かの判断をユーザＩＤに基づいて判断しているが、読取指示に伴うアプリケーションＩＤに基づいて判断してもよい。
この場合、図３の読取制御処理に代えて、図８の読取制御処理を実行するようにすれば良い。すなわち、読取部３１にセットされた原稿の読取指示を受け付け（ステップＳ１１０）、読取指示に伴うアプリケーションＩＤを取得してＲＡＭ４０ｃに記憶し（ステップＳ１１５）、図３の読取制御処理のステップＳ１２０、Ｓ１６０、Ｓ１７０と同様に前回の読取時から現時点までに圧板の開放が行われていると判断した場合は読取部３１にセットされた原稿を読み取ってアプリケーションＩＤに基づく処理を行う（ステップＳ１２０のＹｅｓ、Ｓ１６０、Ｓ１７０）。
一方、前回の読取時から現時点までに圧板の開放が行われていないと判断した場合は（ステップＳ１２０のＮｏ）前回読取指示を受け付けた際に実行した読取制御処理のステップＳ１１５で取得したＲＡＭ４０ｃに記憶してあるアプリケーションＩＤと今回読取指示を受け付けた際にステップＳ１１５で取得したアプリケーションＩＤとが一致するか否かを判断し（ステップＳ１３０ｂ）、これらが一致しないと判断した場合は（ステップＳ１３０ｂのＮｏ）図３の読取制御処理のステップＳ１４０と同様に警告用情報をクライアント端末２０へ出力し（ステップＳ１４０）、これらが一致すると判断した場合は（ステップＳ１３０ｂのＹｅｓ）図３の読取制御処理のステップＳ１５０、Ｓ１７０と同様に前回読み取った原稿の画像データを取得してアプリケーションＩＤに基づく処理を行う（ステップＳ１５０、Ｓ１７０）。
こうすれば、ユーザＩＤを取得しなくても、読取指示に係るユーザが前回の読取時の読取指示に係るユーザから変更されているか否かの判断を読取指示に伴うアプリケーションＩＤに基づいて判断することができる。
【００３２】
また、実施例の複写機３０では、読取指示に係るユーザが前回の読取時の読取指示に係るユーザから変更されているか否かの判断をユーザＩＤに基づいて判断しているが、前回の読取時からの経過時間に基づいて判断してもよい。
この場合、図３の読取制御処理に代えて、図９の読取制御処理を実行するようにすれば良い。すなわち、図３の読取制御処理のステップＳ１１０、Ｓ１２０、Ｓ１６０、Ｓ１７０と同様に、読取部３１にセットされた原稿の読取指示を受け付け、前回の読取時から現時点までに圧板の開放が行われていると判断した場合は、読取部３１にセットされた原稿を読み取ってアプリケーションＩＤに基づく処理を行う（ステップＳ１１０、Ｓ１２０、Ｓ１６０、Ｓ１７０）。
一方、前回の読取時から現時点までに圧板の開放が行われていないと判断した場合は（ステップＳ１２０のＮｏ）前回の読取指示を受け付けたときから現時点までの時間がＲＯＭ４０ｂに予め記憶されている所定値より大きいか否かを判断し（ステップＳ１３０ｃ）、所定値より大きいと判断した場合は（ステップＳ１３０ｃのＹｅｓ）図３の読取制御処理のステップＳ１４０と同様に警告用情報をクライアント端末２０へ出力し（ステップＳ１４０）、所定値より小さいと判断した場合は（ステップＳ１３０ｃのＮｏ）図３の読取制御処理のステップＳ１５０、Ｓ１７０と同様に前回読み取った原稿の画像データを取得してアプリケーションＩＤに基づく処理を行う（ステップＳ１５０、Ｓ１７０）。
こうすれば、読取指示に係るユーザが前回の読取時の読取指示に係るユーザから変更されているか否かの判断を前回の読取時からの経過時間に基づいて判断することができる。
【００３３】
実施例の複写機３０では、『原稿が残っています。』という警告用情報をクライアント端末２０へ表示させるためにクライアント端末２０へ出力することを例示したが、出力する態様や出力する情報の内容は問わない。例えば、警告用情報を図６のように操作表示部１−６へ出力してもよく、プロッタ１−５へ出力してもよく、スピーカなどへ音声出力させるために出力しても良い。また、図７のように『処理を続けますか？』という処理の続行の可否を伺う情報を付加して出力しても良い。さらに、警告用情報を出力しなくても、通常の動作とは異なる警告用動作を行うものであればよく、例えば、警告用情報を出力することなく原稿の読取動作を中止するだけであっても差し支えない。
【００３４】
実施例の複写機３０では、前回の読取時から現時点までに圧板の開放が行われておらず前回取得したユーザＩＤと今回取得したユーザＩＤとが一致するときには、読取部３１にセットされた原稿を読み取らず、前回読み取った原稿の画像データを取得することを例示したが、前回読み取った原稿の画像データを取得するものであればよく、原稿の読取動作自体を行っても構わない。読取部３１にセットされた原稿を読み取り、その読み取った画像データをＲＡＭ４０ｃに記憶せずに、前回読み取った原稿の画像データを画像メモリ４４から取得しても構わない。
【００３５】
実施例の複合機３０では、前回の読取時から現時点までに圧板の開放が行われたか否かによって原稿が変更されているか否かを判断するものとしたが、原稿が前回の読取時から変更されているか否かを判断することができればよく、その判断手法は問わない。例えば、原稿センサ４２から受信した検出信号により読取部３１にセットされた原稿が無くなったと判断した場合は、原稿が前回の読取時から変更されていると判断してもよい。
【００３６】
実施例の複合機３０は、ネットワークを介してクライアント端末２０に接続されるものとしたが、ネットワークへの接続機能の有無は問わないのは勿論である。また、ＦＡＸ機能等を有する複合機でなくてもよく、コピー専用機（複写機）やスキャナ機能のみを有する画像読取装置であっても構わない。
【図面の簡単な説明】
【００３７】
【図１】複写機３０を含むネットワークシステム１０の構成を示す構成図である。
【図２】複写機３０の構成の概略を示すハードウェア構成図である。
【図３】読取制御処理の一例を示すフローチャートである。
【図４】警告用動作の一例を示す説明図である。
【図５】警告用動作の一例を示す説明図である。
【図６】警告用動作の一例を示す説明図である。
【図７】警告用動作の一例を示す説明図である。
【図８】変形例の読取制御処理の一例を示すフローチャートである。
【図９】変形例の読取制御処理の一例を示すフローチャートである。
【符号の説明】
【００３８】
１０    ネットワークシステム
２０    クライアント端末
３０    複写機
３１    読取部
４０ａ    ＣＰＵ
４０ｂ    ＲＯＭ
４０ｃ    ＲＡＭ
４０ｄ    圧板
４０ｅ    スキャナ
４０ｆ    プロッタ
４０ｇ    操作表示部
４０ｈ    通信制御部
４０ｉ    ＬＡＮ制御部
４１    圧板開閉センサ
４２    原稿センサ
４３    用紙センサ
４４    画像メモリ
４５    バッテリ
４６    パラメータメモリ
４７    時計回路
４８    モデム
４９    網制御部
５０    復号化符号化部
５１    キャラクタジェネレータ
【図１】
2007288585.tif 000003
【図２】
2007288585.tif 000004
【図３】
2007288585.tif 000005
【図４】
2007288585.tif 000006
【図５】
2007288585.tif 000007
【図６】
2007288585.tif 000008
【図７】
2007288585.tif 000009
【図８】
2007288585.tif 000010
【図９】
2007288585.tif 000011